(57)【要約】【課題】既存のサッシにおいてできる限り多くのサッシに対し、既存のサッシ外枠を再使用する状態でサッシ内枠のみを取り替えることができるサッシ内枠。【解決手段】サッシ外枠に引き違い状に配設される一対のサッシ内枠体２ａ，２ｂが、召合せ部にそれぞれ召合せ突条３を備え、閉じた状態で、サッシ内枠体２ａ，２ｂの厚み方向で互いに重合して迷路を形成するサッシ内枠で、一対のサッシ内枠体２ａ，２ｂの少なくとも一方において、サッシ内枠体２ａ，２ｂと召合せ突条３が互いに別体に構成され、召合せ突条３としてサッシ内枠体２ａ，２ｂの厚み方向における長さの異なる複数種類の召合せ突条３ａ〜３ｃがあり、複数種類の召合せ突条３ａ〜３ｃの中から適宜選択し、選択した召合せ突条とサッシ内枠体２ａ，２ｂに設けられた取り付け部８ａ，８ｂを介して、選択した召合せ突条をサッシ内枠体２ａ，２ｂに取り付ける。【選択図】        図２
2004183314.tif 000002
【特許請求の範囲】
【請求項１】
サッシ外枠に引き違い状に配設される内外一対のサッシ内枠体が、その召合せ部にそれぞれ召合せ突条を備え、前記一対のサッシ内枠体を閉じた状態で、両サッシ内枠体の前記召合せ突条が、前記サッシ内枠体の厚み方向で互いに重合して迷路を形成するように構成されているサッシ内枠であって、
前記一対のサッシ内枠体の少なくとも一方において、そのサッシ内枠体と召合せ突条が互いに別体に構成され、別体に構成された召合せ突条として、サッシ内枠体の厚み方向における長さの異なる複数種類の召合せ突条があり、その複数種類の召合せ突条の中から適宜選択し、選択した召合せ突条とサッシ内枠体に設けられた取り付け部を介して、その選択した召合せ突条をサッシ内枠体に取り付けるように構成されているサッシ内枠。
【請求項２】
前記一対のサッシ内枠体の両方において、各サッシ内枠体と召合せ突条が互いに別体に構成され、別体に構成された召合せ突条として、前記複数種類の召合せ突条がそれぞれあり、その複数種類の召合せ突条の中からそれぞれ適宜選択し、前記取り付け部を介して各サッシ内枠体に取り付けるように構成されている請求項１に記載のサッシ内枠。
【請求項３】
前記一対のサッシ内枠体と召合せ突条に設けられた取り付け部が、左右勝手違いの同構造の取り付け部である請求項２に記載のサッシ内枠。
【請求項４】
前記取り付け部が、蟻と蟻溝により構成されている請求項１〜３のいずれか１項に記載のサッシ内枠。
【発明の詳細な説明】
【０００１】
【発明の属する技術分野】
本発明は、サッシ外枠に引き違い状に配設される内外一対のサッシ内枠体が、その召合せ部にそれぞれ召合せ突条を備え、前記一対のサッシ内枠体を閉じた状態で、両サッシ内枠体の前記召合せ突条が、前記サッシ内枠体の厚み方向で互いに重合して迷路を形成するように構成されているサッシ内枠に関する。
【０００２】
【従来の技術】
この種のサッシでは、近年、防音タイプ、断熱タイプ、あるいは、日射コントロールタイプなどの種々の機能を備えたものが流通し、古い既存のサッシを新しいサッシに取り替えたいという要望もきわめて高い。
ところが、この種のサッシは、その形状や構造などがメーカーや製造年代により異なり、特に、サッシ内枠体の召合せ部に設けられる召合せ突条に種々のものが存在するため、例えば、既存のサッシ外枠を建物側に残したままで、かつ、そのサッシ外枠を新たなサッシの一部として使用可能な状態でサッシ内枠（サッシ業界では、一般に「障子」と称している）のみをリフォームするのは不可能に近いと考えられていた。
【０００３】
このような問題を解決するサッシ内枠として、従来、リフォーム用の内外一対のサッシ内枠体の一方において、そのサッシ内枠体と召合せ突条を互いに別体に構成し、かつ、召合せ突条を断面Ｌ字状のアングル材で構成して、サッシ内枠体に設けた長孔とねじにより、その召合せ突条をサッシ内枠体の厚み方向に位置変更固定自在に構成したものが提案された（例えば、特許文献１参照）。
【０００４】
【特許文献１】
特許第２９２０７６０号公報（図１〜図３）
【０００５】
【発明が解決しようとする課題】
しかし、上記公報に開示のサッシ内枠では、召合せ突条をサッシ内枠体の厚み方向に位置変更するにあたり、サッシ内枠体の厚み方向にスライドさせるため、そのスライド長さがサッシ内枠体の厚みにより制限を受け、召合せ突条の位置変更幅にも自ずと限度があり、したがって、特定の条件に合致する既存のサッシにのみ適用可能であり、上述したように、形状や構造などがメーカーや製造年代により種々に異なる既存のサッシにおいて必ずしも満足できるものではない。
それに加えて、召合せ突条の位置変更固定のため、サッシ内枠体に長孔を設けて長孔に挿通したねじを回転操作する必要性から、長孔やねじが外部へ露呈して外観的に好ましくないという問題もあり、この点に改良の余地が残されている。
【０００６】
本発明は、このような問題点に着目したもので、その目的は、形状や構造などが種々に異なる既存のサッシにおいてできる限り多くのサッシに対し、その既存のサッシ外枠を再使用する状態でサッシ内枠のみを取り替えることができるサッシ内枠を提供することである。
【０００７】
【課題を解決するための手段】
請求項１の発明の特徴構成は、サッシ外枠に引き違い状に配設される内外一対のサッシ内枠体が、その召合せ部にそれぞれ召合せ突条を備え、前記一対のサッシ内枠体を閉じた状態で、両サッシ内枠体の前記召合せ突条が、前記サッシ内枠体の厚み方向で互いに重合して迷路を形成するように構成されているサッシ内枠であって、前記一対のサッシ内枠体の少なくとも一方において、そのサッシ内枠体と召合せ突条が互いに別体に構成され、別体に構成された召合せ突条として、サッシ内枠体の厚み方向における長さの異なる複数種類の召合せ突条があり、その複数種類の召合せ突条の中から適宜選択し、選択した召合せ突条とサッシ内枠体に設けられた取り付け部を介して、その選択した召合せ突条をサッシ内枠体に取り付けるように構成されているところにある。
【０００８】
請求項１の発明の特徴構成によれば、サッシ外枠に引き違い状に配設される内外一対のサッシ内枠体の少なくとも一方において、そのサッシ内枠体と召合せ突条が互いに別体に構成され、別体に構成された召合せ突条として、サッシ内枠体の厚み方向における長さの異なる複数種類の召合せ突条があり、その複数種類の召合せ突条の中から適宜選択し、選択した召合せ突条とサッシ内枠体に設けられた取り付け部を介して、その選択した召合せ突条をサッシ内枠体に取り付けるように構成されているので、上述した従来のサッシ内枠のように、召合せ突条の位置変更幅がサッシ内枠体の厚みにより制限を受けることはない。
したがって、かなり広範囲にわたる既存のサッシに対して、サッシ外枠を再使用する状態でサッシ内枠のみを取り替えることができ、リフォームに要する費用の低減化を図ることができる。
その上、サッシ内枠体と召合せ突条間の取り付け部に関しても、従来のように長孔とねじにより構成する必要はなく、例えば、サッシ内枠体に対して召合せ突条を接着剤で接着したり、小さなビスなどで固定することができ、サッシ内枠の外観を損ねるおそれもない。
【０００９】
請求項２の発明の特徴構成は、前記一対のサッシ内枠体の両方において、各サッシ内枠体と召合せ突条が互いに別体に構成され、別体に構成された召合せ突条として、前記複数種類の召合せ突条がそれぞれあり、その複数種類の召合せ突条の中からそれぞれ適宜選択し、前記取り付け部を介して各サッシ内枠体に取り付けるように構成されているところにある。
【００１０】
請求項２の発明の特徴構成によれば、一対のサッシ内枠体の両方において、各サッシ内枠体と召合せ突条が互いに別体に構成され、別体に構成された召合せ突条として、複数種類の召合せ突条がそれぞれあり、その複数種類の召合せ突条の中からそれぞれ適宜選択し、前記取り付け部を介して各サッシ内枠体に取り付けるように構成されているので、既存のサッシに対する適用範囲がより一層広くなり、更に広範囲にわたる既存のサッシに対してサッシ内枠のみを取り替えることができる。
【００１１】
請求項３の発明の特徴構成は、前記一対のサッシ内枠体と召合せ突条に設けられた取り付け部が、左右勝手違いの同構造の取り付け部である。
【００１２】
請求項３の発明の特徴構成によれば、一対のサッシ内枠体と召合せ突条に設けられた取り付け部が、左右勝手違いの同構造の取り付け部であるから、複数種類の召合せ突条を反転させて使用することにより、内側と外側のサッシ内枠体に取り付ける召合せ突条を共用化することができ、たとえ多種類の召合せ突条を準備する場合においても、召合せ突条の共用化によりコストアップを抑えることができる。
【００１３】
請求項４の発明の特徴構成は、前記取り付け部が、蟻と蟻溝により構成されているところにある。
【００１４】
請求項４の発明の特徴構成によれば、サッシ内枠体と召合せ突条間の取り付け部が、蟻と蟻溝により構成されているので、接着剤やビスなどを必要とすることなく、サッシ内枠体の所定箇所に召合せ突条を確実、強固に取り付けることができる。
【００１５】
【発明の実施の形態】
本発明によるサッシ内枠の実施の形態を図面に基づいて説明する。
このサッシ内枠は、例えば、既存のアルミ製サッシにおいて、サッシ外枠を建物側に残したままで、サッシ内枠のみをリフォーム用の新たなサッシ内枠に取り替える際に使用されるもので、図１に示すように、建物側に固定された既存のサッシ外枠１に対して引き違い状に配設されるリフォーム用の新たな内外一対のサッシ内枠Ａ，Ｂ、すなわち、室内側に位置する内側サッシ内枠Ａと室外側に位置する外側サッシ内枠Ｂを備えている。
内側サッシ内枠Ａは、アルミ製の内側サッシ内枠体２ａとその内枠体２ａの召合せ部Ｃに設けられる召合せ突条３からなり、外側サッシ内枠Ｂは、アルミ製の外側サッシ内枠体２ｂとその内枠体２ｂの召合せ部Ｃに設けられる召合せ突条３からなる。
【００１６】
両サッシ内枠体２ａ，２ｂに設けられる召合せ突条３，３は、図５および図６に示すように、両サッシ内枠体２ａ，２ｂを閉じた状態で、両召合せ突条３，３がサッシ内枠体２ａ，２ｂの厚み方向で互いに重合して迷路を形成し、召合せ部Ｃにおける気密性を高めるためのもので、各召合せ突条３，３には、迷路を形成するためにサッシ内枠体２ａ，２ｂのスライド方向に延出する舌片４が一体的に設けられている。
各召合せ突条３，３は、図２に示すように、サッシ内枠体２ａ，２ｂとそれぞれ別体に構成され、各サッシ内枠体２ａ，２ｂへの取り付け部を形成する蟻溝５と、その蟻溝５の反対側に位置するシール部材用蟻溝６を備えていて、両召合せ突条３，３は、左右の勝手違いはあるものの実質的に同じもので兼用するように構成されている。
【００１７】
それに対し、内側サッシ内枠体２ａには、召合せ突条３の蟻溝５に内嵌する内側用蟻７ａが外側サッシ内枠体２ｂ側に向けて突設されていて、その内側用蟻７ａと召合せ突条３の蟻溝５により内側用取り付け部８ａが構成されている。
同様に、外側サッシ内枠体２ｂには、内側用蟻７ａと同じ形状の外側用蟻７ｂが内側サッシ内枠体２ａ側に向けて突設されていて、その外側用蟻７ｂと召合せ突条３の蟻溝５により外側用取り付け部８ｂが構成されている。
そして、その召合せ突条３として、サッシ内枠体２ａ，２ｂの厚み方向における長さＬの異なる複数種類、例えば、長さＬ１、長さＬ２、長さＬ３の３種類の召合せ突条３ａ，３ｂ，３ｃが予め用意されていて、これら３種類の召合せ突条３ａ，３ｂ，３ｃの中から適宜選択して、各サッシ内枠体２ａ，２ｂに取り付けるように構成されている。
【００１８】
このような一対のサッシ内枠体２ａ，２ｂと召合せ突条３を使用し、図３および図４に示すように、既存のサッシ外枠１を建物側に残し、かつ、戸車用レール１ａとガイド用レール１ｂを再使用する状態で、サッシ内枠のみをリフォームするには、一対のサッシ内枠体２ａ，２ｂを既存のサッシ外枠１に組み付けた状態で、図５および図６に示すように、内外一対の召合せ突条３，３が所定の位置関係になるように、３種類の召合せ突条３ａ，３ｂ，３ｃの中から適当なものを選択する。
この召合せ突条３ａ，３ｂ，３ｃの選択に際しては、内外一対のサッシ内枠体２ａ，２ｂに対して同じ長さＬのもの、例えば、図３と図５に示すように、内外一対のサッシ内枠体２ａ，２ｂのそれぞれに対して長さＬ１のものを選択することも、図４と図６に示すように、一方のサッシ内枠体２ａに対して長さＬ３のものを選択し、他方のサッシ内枠体２ｂに対して長さＬ２のものを選択して取り付けることもでき、このようにして、既存のサッシ外枠１にサッシ内枠Ａ，Ｂを嵌め込むことにより、両サッシ内枠Ａ，Ｂを閉じた際、サッシ内枠Ａ，Ｂ間の召合せ部Ｃは所定どおりに維持され、さらに、各召合せ突条３のシール部材用蟻溝６を使用して可撓性材料からなるシール部材９を取り付けることにより、召合せ部Ｃの気密性が維持される。
【００１９】
〔別実施形態〕
（１）先の実施形態では、内外一対のサッシ内枠体２ａ，２ｂの両方において、各サッシ内枠体２ａ，２ｂに対して別体に構成した召合せ突条３を取り付ける構成のものを示したが、内外一対のサッシ内枠体２ａ，２ｂのいずれか一方、例えば、内側サッシ内枠体２ａにおいてのみ別体に構成した召合せ突条３を取り付けるように構成し、外側サッシ内枠体２ｂにおいては、そのサッシ内枠体２ｂと召合せ突条３とを一体的に形成することもできる。
【００２０】
（２）先の実施形態では、サッシ内枠体２ａ，２ｂと召合せ突条３との取り付け部８ａ，８ｂを構成するに際し、サッシ内枠体２ａ，２ｂ側に蟻７ａ，７ｂを設け、召合せ突条３側に蟻溝５を設けた例を示したが、これとは逆に、サッシ内枠体２ａ，２ｂ側に蟻溝を設け、召合せ突条３側に蟻を設けることもできる。
また、その取り付け部８ａ，８ｂに関しては、必ずしも蟻と蟻溝による取り付け部に限るものではなく、例えば、接着剤による取り付け部やビスなどの固定具を使用する取り付け部に構成することもできる。
【図面の簡単な説明】
【図１】リフォーム後のアルミサッシの斜視図
【図２】サッシ内枠体と召合せ突条の斜視図
【図３】アルミサッシの縦断側面図
【図４】アルミサッシの縦断側面図
【図５】図３に対応するアルミサッシの横断平面図
【図６】図４に対応するアルミサッシの横断平面図
【符号の説明】
１          サッシ外枠
２ａ        内側サッシ内枠体
２ｂ        外側サッシ内枠体
３          召合せ突条
３ａ〜３ｃ  複数種類の召合せ突条
５          蟻溝
７ａ，７ｂ  蟻
８ａ，８ｂ  取り付け部
Ｃ          召合せ部
【図１】
2004183314.tif 000003
【図２】
2004183314.tif 000004
【図３】
2004183314.tif 000005
【図４】
2004183314.tif 000006
【図５】
2004183314.tif 000007
【図６】
2004183314.tif 000008